(57)【要約】【課題】本発明は、信号発生装置に関し、特にスクロール画像のテスト信号を生成する信号発生装置に適用して、高速度のメモリを使用しなくても、スクロール速度が極めて遅いテスト信号を生成することができるようにする。【解決手段】本発明は、基準位置のテスト信号用画像データＤ０と、１画素ピッチを整数値で分割したスクロール単位毎に、基準位置から順次移動した各移動位置のテスト信号用画像データＤ１〜Ｄ７とをそれぞれ画像メモリＡ〜Ｄに格納し、この画像メモリＡ〜Ｄをスクロール速度に応じて順次選択してスクロール画像のテスト信号Ｓ１を生成する。【選択図】        図１
2009157296.tif 000002
【特許請求の範囲】
【請求項１】
スクロール画像のテスト信号を出力する信号発生装置において、
基準位置のテスト信号用画像データと、１画素ピッチを整数値で分割したスクロール単位毎に、前記基準位置から順次移動した各移動位置のテスト信号用画像データとをそれぞれ格納する複数の画像メモリと、
前記テスト信号のスクロール速度に応じて、前記複数の画像メモリを順次選択するメモリ選択部と、
前記メモリ選択部で選択された前記画像メモリから、読出しアドレスを順次変更して前記テスト信号用画像データを読み出して前記テスト信号を出力するテスト信号出力部と
を備えることを特徴とする信号発生装置。
【発明の詳細な説明】
【技術分野】
【０００１】
本発明は、信号発生装置に関し、特にスクロール画像のテスト信号を生成する信号発生装置に適用することができる。本発明は、基準位置のテスト信号用画像データと、１画素ピッチを整数値で分割したスクロール単位毎に、基準位置から順次移動した各移動位置のテスト信号用画像データとをそれぞれ画像メモリに格納し、この画像メモリをスクロール速度に応じて順次選択してスクロール画像のテスト信号を生成することにより、高速度のメモリを使用しなくても、スクロール速度が極めて遅いテスト信号を生成することができるようにする。
【背景技術】
【０００２】
従来、信号発生装置では、例えば特開２００７−２６７２８４号公報に開示されているように、メモリに保持したテスト信号用画像データを順次読み出して出力することにより、各種映像機器のテスト信号を出力している。
【０００３】
また従来、信号発生装置は、このメモリの読出しアドレスをフレーム単位又はフィールド単位で順次変更してスクロール画像のテスト信号を出力している。
【０００４】
ところで外部に出力するテスト信号に対して数倍の解像度のテスト信号用画像データをメモリに格納して保持し、このメモリからの出力を制御すれば、スクロール速度が極めて低速度のテスト信号を出力することができる。
【０００５】
具体的に、例えば外部機器に出力するテスト信号に対して水平方向の解像度が２倍のテスト信号用画像データをメモリに保持すれば、メモリからの出力の制御により、スクロール速度０．５〔ＰＰＦ：Pixel Per Field or Pixel Per Frame〕のテスト信号を出力することができる。また外部機器に出力するテスト信号に対してそれぞれ水平方向の解像度が４倍、８倍のテスト信号用画像データをメモリに保持すれば、メモリからの出力の制御により、スクロール速度０．２５〔ＰＰＦ〕、０．１２５〔ＰＰＦ〕のテスト信号を出力することができる。なおここでこのメモリからの出力の制御は、テスト用画像データの間引きである。
【０００６】
しかしながらこのようにメモリに記録して保持するテスト信号用画像データの解像度を高解像度化すると、メモリでは、ブロック単位でテスト信号画像データを読み出すことから、その分、メモリの動作速度を高速度化することが必要になる問題がある。具体的に、例えば０．５〔ＰＰＦ〕のスクロール速度でテスト信号を出力可能に、水平方向に２倍の解像度のテスト信号用画像データをメモリに格納して、メモリからの読出しに周波数１４８．５〔ＭＨｚ〕のクロックが必要であるとすると、それぞれ０．２５〔ＰＰＦ〕、０．１２５〔ＰＰＦ〕のスクロール速度でテスト信号を出力可能に、水平方向の解像度が４倍、８倍のテスト信号用画像データをメモリに格納する場合、それぞれメモリからの読出しに周波数２９７〔ＭＨｚ〕、５７８〔ＭＨｚ〕のクロックが必要となる。
【特許文献１】特開２００７−２６７２８４号公報
【発明の開示】
【発明が解決しようとする課題】
【０００７】
本発明は以上の点を考慮してなされたもので、高速度のメモリを使用しなくても、スクロール速度が極めて遅いテスト信号を生成することができる信号発生装置を提案しようとするものである。
【課題を解決するための手段】
【０００８】
上記の課題を解決するため請求項１の発明は、スクロール画像のテスト信号を出力する信号発生装置に適用して、基準位置のテスト信号用画像データと、１画素ピッチを整数値で分割したスクロール単位毎に、前記基準位置から順次移動した各移動位置のテスト信号用画像データとをそれぞれ格納する複数の画像メモリと、前記テスト信号のスクロール速度に応じて、前記複数の画像メモリを順次選択するメモリ選択部と、前記メモリ選択部で選択された前記画像メモリから、読出しアドレスを順次変更して前記テスト信号用画像データを読み出して前記テスト信号を出力するテスト信号出力部とを備えるようにする。
【０００９】
請求項１の構成によれば、基準位置のテスト信号用画像データと、１画素ピッチを整数値で分割したスクロール単位毎に、前記基準位置から順次移動した各移動位置のテスト信号用画像データとをそれぞれ画像メモリに格納し、この画像メモリをスクロール速度に応じて順次選択してスクロール画像のテスト信号を生成することにより、メモリの動作速度を高速度化しなくても、スクロール速度の極めて遅いテスト信号を生成することができる。
【発明の効果】
【００１０】
本発明によれば、高速度のメモリを使用しなくても、スクロール速度が極めて遅いテスト信号を生成することができる。
【発明を実施するための最良の形態】
【００１１】
以下、適宜図面を参照しながら本発明の実施例を詳述する。
【実施例１】
【００１２】
（１）実施例の構成
図１は、本発明の実施例１の信号発生装置を示すブロック図である。この信号発生装置１は、テスト信号メモリ２に格納されたテスト信号用画像データを順次読み出し、スクロール速度が極めて低速度のテスト信号Ｓ１を出力する。
【００１３】
ここでテスト信号メモリ２は、それぞれ２画面分の容量を有する４つの画像メモリＡ〜Ｄが設けられる。従ってテスト信号メモリ２には、８画面分の容量が設けられる。この信号発生装置１は、このテスト信号メモリ２の画面容量で１画素ピッチを割り算した数値０．１２５（１／８）画素ピッチが最小のスクロール単位とされ、このスクロール単位に対応する０．１２５〔ＰＰＦ〕が最低のスクロール速度とされる。
【００１４】
テスト信号メモリ２は、基準位置のテスト信号用画像データと、この基準位置から順次スクロール単位毎に水平方向に移動した各移動位置のテスト信号用画像データとが、これら複数の画像メモリＡ〜Ｄにそれぞれ保持される。なおここで基準位置は、スクロール表示の開始位置である。従ってテスト信号メモリ２は、基準位置のテスト信号用画像データＤ０と、この基準位置から順次０．１２５画素ピッチずつ水平方向に移動した７つの移動位置のテスト信号用画像データＤ１〜Ｄ７とが、順次、この４つの画像メモリＡ〜Ｄに保持される。
【００１５】
より具体的に、第１の画像メモリＡには、基準位置のテスト信号用画像データＤ０と、この基準位置から水平方向に０．５画素ピッチだけ移動した移動位置のテスト信号用画像データＤ４とが格納される。また続く第２の画像メモリＢには、第１の画像メモリＡに割り当てられた基準位置及び移動位置から、それぞれ０．１２５画素ピッチだけ移動した移動位置のテスト信号用画像データＤ１、Ｄ５が格納される。また続く第３の画像メモリＣには、第１の画像メモリＡに割り当てられた基準位置及び移動位置から、それぞれ０．２５画素ピッチだけ移動した移動位置のテスト信号用画像データＤ２、Ｄ６が格納される。また続く第４の画像メモリＤには、第１の画像メモリＡに割り当てられた基準位置及び移動位置から、それぞれ０．３７５画素ピッチだけ移動した移動位置のテスト信号用画像データＤ３、Ｄ７が格納される。
【００１６】
これによりテスト信号メモリ２は、基準位置から、０．１２５画素単位で順次移動させたテスト信号用画像データを出力可能に構成される。なお以下においては、適宜、基準位置からの移動量をスクロール単位数で表して基準位置からの移動量を示す。
【００１７】
すなわち図２に示すように、それぞれ第１〜第４の画像メモリＡ〜Ｄからテスト信号用画像データＤ０〜Ｄ７を読み出して、それぞれスクロール単位数０〜７で表される、基準位置のテスト信号用画像データＤ０、この基準位置から０．１２５、０．２５、０．３７５、……、０．８７５画素ピッチ移動したテスト信号用画像データＤ１〜Ｄ７を出力することができる。またこれらのテスト信号用画像データＤ０〜Ｄ７の読出しを１画素分だけ変位させるように読出しアドレスを変更してこれら画像メモリＡ〜Ｄからテスト信号用画像データＤ０〜Ｄ７を読み出すことにより、それぞれスクロール単位数８〜１５で表される、基準位置から１、１．１２５、１．２５、１．３７５、……、１．８７５画素ピッチ移動したテスト信号用画像データＤ１〜Ｄ７を出力することができる。またさらにこれらのテスト信号用画像データＤ０〜Ｄ７の読出しを２画素分だけ変位させるように読出しアドレスを変更してこれら画像メモリＡ〜Ｄからテスト信号用画像データＤ０〜Ｄ７を読み出すことにより、それぞれスクロール単位数１６〜２３で表される、基準位置から２、２．１２５、２．２５、２．３７５、……、２．８７５画素ピッチ移動したテスト信号用画像データＤ０〜Ｄ７を出力することができる。
【００１８】
これにより図２との対比により図３に示すように、順次、循環的に、第１〜第４の画像メモリＡ〜Ｄからテスト信号用画像データを読み出して、スクロール速度０．１２５〔ＰＰＦ〕のテスト信号用画像データを出力することができる。なお以下においては、画像メモリＡ〜Ｄからのテスト信号用画像データの読出しを丸印で囲って示す。
【００１９】
また図４に示すように、スクロール速度０．１２５〔ＰＰＦ〕におけるテスト信号用画像データの読出しを間引きして２画面毎に実行することにより、すなわち第１及び第３の画像メモリＡ及びＣから交互にテスト信号用画像データを読み出すことにより、スクロール速度０．２５〔ＰＰＦ〕のテスト信号用画像データを出力することができる。
【００２０】
また図５に示すように、同様に間引きして３画面毎にテスト信号用画像データの読出しを実行することにより、スクロール速度０．３７５〔ＰＰＦ〕のテスト信号用画像データを出力することができる。また図６に示すように、同様に間引きして４画面毎にテスト信号用画像データの読出しを実行することにより、すなわち第１の画像メモリからのみ、順次、テスト信号用画像データを読み出すことにより、スクロール速度０．５〔ＰＰＦ〕のテスト信号用画像データを出力することができる。
【００２１】
また図７に示すように、同様に間引きして５画面毎にテスト信号用画像データの読出しを実行することにより、スクロール速度０．６２５〔ＰＰＦ〕のテスト信号用画像データを出力することができる。また図８に示すように、同様に間引きして６画面毎にテスト信号用画像データの読出しを実行することにより、スクロール速度０．７５〔ＰＰＦ〕のテスト信号用画像データを出力することができる。
【００２２】
また図９に示すように、同様に間引きして７画面毎にテスト信号用画像データの読出しを実行することにより、スクロール速度０．８７５〔ＰＰＦ〕のテスト信号用画像データを出力することができる。なお図１０は、これら図３〜図９の関係をまとめたものであり、ｆはフレーム又はフィールドである。
【００２３】
このスクロール画像の生成原理に基づいて（図１）、信号発生装置１は、テスト信号メモリ２から順次テスト信号用画像データを読み出して処理する。すなわちこの信号発生装置１において、コントローラ３は、この信号発生装置１の動作を制御するコンピュータである。コントローラ３は、スクロール画像によるテスト信号Ｓ１の出力が指示されると、ユーザーの指示したスクロール速度で、テスト信号Ｓ１の各フレーム又は各フィールドのハード移動量Ｘを計算する。ここでハード移動量は、図１０に示すように、最もスクロール速度の遅い０．１２５〔ＰＰＦ〕のスクロール速度から順に、スクロール速度が０．１２５〔ＰＰＦ〕単位で増大するに従って値が増大する正の整数値である。またコントローラ３は、テスト信号Ｓ１のフレーム周波数等の同期情報を同期回路４に出力する。
【００２４】
同期回路４は、コントローラ３から通知される同期情報に基づいて、テスト信号Ｓ１に同期した垂直同期信号、水平同期信号等のタイミング信号、テスト信号Ｓ１のフレーム番号Ｆの情報等を生成して出力する。
【００２５】
移動量計算部５は、コントローラ３から通知されるハード移動量Ｘ、同期回路４から通知されるフレーム番号Ｆに基づいて、画像メモリＡ〜Ｄを選択する選択情報Ｒ、各画像メモリＡ〜Ｄにおける読出しアドレスのシフト量Ｑを計算して出力する。なおこの計算は、（Ｘ×Ｆ）／４＝ＱＦ＋Ｒの演算処理により、（Ｘ×Ｆ）／４の商Ｑ及び余りＲを計算して実行される。
【００２６】
メモリ選択部６は、移動量計算部５で求められた選択情報Ｒにより、画像メモリＡ〜Ｄからテスト信号用画像データを読み出す画像メモリを選択する。テスト信号出力部７は、移動量計算部５で求められたシフト量Ｑに基づいて読出しアドレスを変更して、メモリ選択部６で選択された画像メモリからテスト信号用画像データを読み出し、この読み出したテスト信号用画像データを所定フォーマットに変換してテスト信号Ｓ１により出力する。
【００２７】
（２）実施例の動作
以上の構成において、この信号発生装置１では、ユーザーによりスクロール画像によるテスト信号Ｓ１の出力が指示されると、ユーザーの指示したスクロール速度に応じてメモリ選択部６で順次画像メモリＡ〜Ｄが選択され、この画像メモリＡ〜Ｄに保持されたテスト信号用画像データＤ０〜Ｄ７が順次読み出されてテスト信号Ｓ１により出力される。
【００２８】
この信号発生装置１では、これらの画像メモリＡ〜Ｄに保持されたテスト信号用画像データＤ０〜Ｄ７が、基準位置のテスト信号用画像データＤ０、１画素ピッチを画像メモリＡ〜Ｄの画面容量で分割したスクロール単位ずつ、順次、この基準位置から変位した移動位置のテスト信号用画像データＤ１〜Ｄ７であることにより、これら画像メモリＡ〜Ｄに保持されたテスト信号用画像データＤ０〜Ｄ７を循環的に読み出すと共に、読出しアドレスを１画素ずつ変位させることにより、スクロール速度０．１２５〔ＰＰＦ〕によるスクロール速度の極めて遅いテスト信号Ｓ１を出力することができる（図３）。
【００２９】
また間引きして同様に画像メモリＡ〜Ｄからテスト信号用画像データを読み出すことにより、０．１２５〔ＰＰＦ〕単位でスクロール速度を増大させてテスト信号Ｓ１を出力することができる（図４〜図９）。
【００３０】
これによりこの実施例では、１画素以下のスクロール単位によるスクロール速度の極めて遅いテスト信号Ｓ１を出力することができる。
【００３１】
また信号発生装置１では、基準位置のテスト信号用画像データＤ０、この基準位置から順次スクロール単位で移動した移動位置のテスト信号用画像データＤ１〜Ｄ７を画像メモリＡ〜Ｄにそれぞれ格納し、これら画像メモリＡ〜Ｄの選択によりこのスクロール速度の極めて遅いテスト信号Ｓ１を出力することにより、各画像メモリＡ〜Ｄにおいては、このテスト信号Ｓ１の解像度によるテスト信号用画像データを出力する場合と同一の動作速度で動作して、スクロール速度の極めて遅いテスト信号Ｓ１を出力することができる。
【００３２】
これにより信号発生装置１では、高速度のメモリを使用しなくても、スクロール速度が極めて遅いテスト信号を生成することができる。
【００３３】
（３）実施例の効果
以上の構成によれば、基準位置のテスト信号用画像データと、１画素ピッチを整数値で分割したスクロール単位毎に、基準位置から順次移動した各移動位置のテスト信号用画像データとをそれぞれ画像メモリに格納し、この画像メモリをスクロール速度に応じて順次選択してスクロール画像のテスト信号を生成することにより、高速度のメモリを使用しなくても、スクロール速度が極めて遅いテスト信号を生成することができる。
【００３４】
従って自然界に存在するような、ゆっくりと移動する動画を的確にシュミレーションすることが可能となり、さらには動画における解像度を的確に測定することができる。
【実施例２】
【００３５】
なお上述の実施例においては、水平方向にスクロールするテスト信号を生成する場合について述べたが、本発明はこれに限らず、垂直方向にスクロールするテスト信号を生成する場合、垂直方向及び水平方向にスクロールするテスト信号を生成する場合にも広く適用することができる。なお垂直方向のスクロールでは、１画素ピッチが１ラインのピッチとなることからスクロール速度は、ＬＰＦ〔Line Per Field or Line Per Frame〕により表される。
【００３６】
また上述の実施例においては、事前に、画像メモリＡ〜Ｄにテスト信号用画像データを格納する場合について述べたが、本発明はこれに限らず、スクロール方向に応じて、所定のメモリに保持したテスト信号用画像データから画像メモリＡ〜Ｄに格納するテスト信号用画像データを生成して格納するようにしてもよい。
【００３７】
また上述の実施例においては、２画面分の容量を有する画像メモリＡ〜Ｄに、それぞれ２画面分ずつテスト信号用画像データを格納する場合について述べたが、本発明はこれに限らず、１画面分の容量を有する画像メモリを複数個用いてテスト信号メモリを構成するようにしてもよい。
【産業上の利用可能性】
【００３８】
本発明は、信号発生装置に関し、特にスクロール画像のテスト信号を生成する信号発生装置に適用することができる。
【図面の簡単な説明】
【００３９】
【図１】本発明の実施例１の信号発生装置を示すブロック図である。
【図２】図１の信号発生装置における画像メモリに説明に供する図表である。
【図３】スクロール速度が０．１２５〔ＰＰＦ〕の場合のテスト信号用画像データの読出しの説明に供する図表である。
【図４】スクロール速度が０．２５〔ＰＰＦ〕の場合のテスト信号用画像データの読出しの説明に供する図表である。
【図５】スクロール速度が０．３７５〔ＰＰＦ〕の場合のテスト信号用画像データの読出しの説明に供する図表である。
【図６】スクロール速度が０．５〔ＰＰＦ〕の場合のテスト信号用画像データの読出しの説明に供する図表である。
【図７】スクロール速度が０．６２５〔ＰＰＦ〕の場合のテスト信号用画像データの読出しの説明に供する図表である。
【図８】スクロール速度が０．７５〔ＰＰＦ〕の場合のテスト信号用画像データの読出しの説明に供する図表である。
【図９】スクロール速度が０．８７５〔ＰＰＦ〕の場合のテスト信号用画像データの読出しの説明に供する図表である。
【図１０】図３〜図９の関係をまとめた図表である。
【符号の説明】
【００４０】
１……信号発生装置、２……テスト信号メモリ、３……コントローラ、５……移動量計算部、６……メモリ選択部、７……テスト信号出力部
【図１】
2009157296.tif 000003
【図２】
2009157296.tif 000004
【図３】
2009157296.tif 000005
【図４】
2009157296.tif 000006
【図５】
2009157296.tif 000007
【図６】
2009157296.tif 000008
【図７】
2009157296.tif 000009
【図８】
2009157296.tif 000010
【図９】
2009157296.tif 000011
【図１０】
2009157296.tif 000012